(57)【要約】      （修正有）【課題】コートとして着用するときに見栄えが良く、コートとして着用しないときにも見栄えが良くて持ち運びが容易でクッション機能に優れている羽毛コートなどの衣料用コートを提供する。【解決手段】衣料用コート本体２とコート収納用バッグ部３とを備えている。そして、コート収納用バッグ部３は、衣料用コート本体２に備えられたバッグ収納用ポケット部５に小さくまとめられて収納されることができる。また、衣料用コート本体２は、コート収納用バッグ部３に小さくまとめられて収納されることができる。【選択図】図５
0003189343.tif 000002
【実用新案登録請求の範囲】
【請求項１】
衣料用コート本体と、この衣料用コート本体に連結されているコート収納用バッグ部とを備え、  上記衣料用コート本体が、バッグ収納用ポケット部を備え、  上記コート収納用バッグ部が、上記バッグ収納用ポケット部の付近において、上記衣料用コート本体に連結され、これによって、上記コート収納用バッグ部が、小さくまとめられた状態でもって、上記バッグ収納用ポケット部に収納され得るように構成され、  上記衣料用コート本体が、小さくまとめられた状態でもって、上記コート収納用バッグ部に収納され得るように構成された衣料用コート。
【請求項２】
上記バッグ収納用ポケット部が、上記衣料用コート本体の後身頃の内側面に配設され、  上記コート収納用バッグ部のバッグ部本体のほぼ上端縁にコート出し入れ用の開口部が設けられ、  上記バッグ部本体のほぼ下端縁が、上記バッグ部本体の外側面と内側面とが互いに逆になっている裏返しの状態でもって、上記バッグ収納用ポケット部のバッグ出し入れ用の開口部の付近に連結され、  上記衣料用コート本体が上記コート収納用バッグ部に収納される際に、上記バッグ部本体が上記裏返しの状態から表返しの状態に引っ繰り返され得るように構成された請求項１に記載の衣料用コート。
【請求項３】
上記コート収納用バッグ部が、互いに対向する一対の把手部を備え、  上記一対の把手部のそれぞれの両側の端縁が、上記衣料用コート本体が上記コート収納用バッグ部に収納された状態において、上記コート収納用バッグ部のバッグ部本体の内側面に連結され、  上記一対の把手部が、上記衣料用コート本体が上記コート収納用バッグ部に収納された状態において、上記バッグ部本体の内部に収納され得るように構成された請求項１または２に記載の衣料用コート。
【請求項４】
上記衣料用コートが、羽毛コートであり、  上記バッグ収納用ポケット部の内部が空っぽでかつ上記バッグ収納用ポケット部がほぼ平坦な状態における上記バッグ収納用ポケット部の内部の幅が１６ｃｍ〜３２ｃｍの範囲で高さが１１ｃｍ〜２１ｃｍの範囲で平面的に見た面積が２５０ｃｍ２〜５００ｃｍ２の範囲であり、  上記コート収納用バッグ部のバッグ部本体の内部が空っぽでかつ上記バッグ部本体がほぼ平坦な状態における上記バッグ部本体の内部の幅および高さのそれぞれが２６ｃｍ〜５２ｃｍの範囲で平面的に見た面積が８４０ｃｍ２〜１，６８０ｃｍ２の範囲であることを特徴とする請求項１、２または３に記載の衣料用コート。
【考案の詳細な説明】
【技術分野】
【０００１】
本考案は、取扱いが便利で体裁が良い衣料用コートに関するものであり、特に、羽毛コートなどのように比較的嵩高な防寒用コートに適用するのに最適なものである。
【背景技術】
【０００２】
従来から、防寒用コートとして用いられる羽毛コートが知られている。そして、羽毛コートにおいては、後身頃、左右両側の前身頃、左右両側の袖部、襟部（および／または頭巾部）などが羽毛入りであるから、この羽毛コートを着用する着用者に対する防寒機能に優れている。
【考案の概要】
【考案が解決しようとする課題】
【０００３】
しかし、上述のような羽毛コートを着用している着用者が寒冷地から温暖地に移動した場合（例えば、飛行機や列車などで寒い地方や国から暖かい地方や国に移動した場合）などには、着用者は、羽毛コートを脱いでから、この羽毛コートを手で持ったり、手提げかばんなどに収納したりする必要がある。したがって、着用者にとっては、羽毛コートの取り扱いが面倒だったり、羽毛コートのために体裁が悪くなったりする。
【０００４】
上述のような欠点を是正するために、羽毛コートを収納することができるポケットを羽毛コートに設けることが考えられる。しかし、羽毛コートは嵩高であるから、羽毛コートを収納するためには、大きなポケットを羽毛コートに配設する必要がある。このために、羽毛コートの体裁が悪くなるとともに、羽毛コートをポケットに収納する手間が面倒になり易い。
【０００５】
本考案は、羽毛コートなどの衣料用コート（特に、嵩高い防寒用コート）における上述のような欠点を、比較的簡単な構成でもって、効果的に是正し得るようにしたものである。
【課題を解決するための手段】
【０００６】
本考案は、衣料用コート本体と、この衣料用コート本体に連結されているコート収納用バッグ部とを備え、上記衣料用コート本体が、バッグ収納用ポケット部を備え、上記コート収納用バッグ部が、上記バッグ収納用ポケット部の付近において、上記衣料用コート本体に連結され、これによって、上記コート収納用バッグ部が、小さくまとめられた状態でもって、上記バッグ収納用ポケット部に収納され得るように構成され、上記衣料用コート本体が、小さくまとめられた状態でもって、上記コート収納用バッグ部に収納され得るように構成された衣料用コートに係るものである。
【０００７】
そして、本考案においては、上記バッグ収納用ポケット部が、上記衣料用コート本体の後身頃の内側面に配設され、上記コート収納用バッグ部のバッグ部本体のほぼ上端縁にコート出し入れ用の開口部が設けられ、上記バッグ部本体のほぼ下端縁が、上記バッグ部本体の外側面と内側面とが裏返しの状態でもって、上記バッグ収納用ポケット部のバッグ出し入れ用の開口部の付近に連結され、上記衣料用コート本体が上記コート収納用バッグ部に収納される際に、上記バッグ部本体が上記裏返しの状態から表返しの状態に引っ繰り返され得るように構成されることができる。
【０００８】
また、本考案においては、上記コート収納用バッグ部が、互いに対向する一対の把手部を備え、上記一対の把手部のそれぞれの両側の端縁が、上記衣料用コート本体が上記コート収納用バッグ部に収納された状態において、上記コート収納用バッグ部のバッグ部本体の内側面に連結され、上記一対の把手部が、上記衣料用コート本体が上記コート収納用バッグ部に収納された状態において、上記バッグ部本体の内部に収納され得るように構成されることができる。
【０００９】
さらに、本考案においては、上記衣料用コートが、羽毛コートであり、上記バッグ収納用ポケット部の内部が空っぽでかつ上記バッグ収納用ポケット部がほぼ平坦な状態における上記バッグ収納用ポケット部の内部の幅が１６ｃｍ〜３２ｃｍの範囲（さらに好ましくは、１９ｃｍ〜２８ｃｍの範囲）で高さが１１ｃｍ〜２１ｃｍの範囲（さらに好ましくは、１３ｃｍ〜１９ｃｍの範囲）で平面的に見た面積が２５０ｃｍ２〜５００ｃｍ２の範囲（さらに好ましくは、３００ｃｍ２〜４５０ｃｍ２の範囲）であり、上記コート収納用バッグ部のバッグ部本体の内部が空っぽでかつ上記バッグ部本体がほぼ平坦な状態における上記バッグ部本体の内部の幅および高さのそれぞれが２６ｃｍ〜５２ｃｍの範囲（さらに好ましくは、３２ｃｍ〜４８ｃｍの範囲）で平面的に見た面積が８４０ｃｍ２〜１，６８０ｃｍ２の範囲（さらに好ましくは、１，０００ｃｍ２〜１，５００ｃｍ２の範囲）であるように構成することができる。
【考案の効果】
【００１０】
本考案によれば、着用者が衣料用コート本体を着用するときには、コート収納用バッグ部をバッグ収納用ポケット部に収納することができる。また、着用者が衣料用コート本体を着用しないときには、この衣料用コート本体をコート収納用バッグ部に収納することができる。そして、このバッグ収納用ポケット部は、衣料用コート本体全体を収納する必要がなくて、コート収納用バッグ部を収納することができればよいので、衣料用コート本体全体を収納する場合に較べて比較的小さくてよい。したがって、着用者が衣料用コート本体を本来のコートとして着用するときの見栄えが比較的良好である。また、着用者が衣料用コート本体を本来のコートとして着用しないときには、この衣料用コート本体をコート収納用バッグ部に比較的簡単に収納することができるとともに、衣料用コートの見栄えが比較的良好であり、しかも、衣料用コートの持ち運びが比較的容易であり、さらに、衣料用コートを各種のクッションとして比較的良好かつ比較的容易に利用することもできる。
【００１１】
そして、請求項２に係る考案によれば、着用者が衣料用コート本体を本来のコートとして着用するときに、コート収納用バッグ部だけでなくて、バッグ収納用ポケット部も外部から見え難いので、衣料用コート本体の見栄えをさらに良好にすることができる。また、着用者が衣料用コート本体を本来のコートとして着用しないときには、この衣料用コート本体をコート収納用バッグ部にさらに簡単に収納することができる。
【００１２】
そして、請求項３に係る考案によれば、着用者が衣料用コート本体を本来のコートとして着用しないで、この衣料用コート本体をコート収納用バッグ部に収納したときに、衣料用コートを比較的容易にかつ比較的見栄えよく持ち運びすることができるとともに、各種のクッションとしてさらに良好にかつさらに見栄え良く利用することができる。
【００１３】
さらに、請求項４に係る考案によれば、着用者が衣料用コート本体を防寒性などに優れた羽毛コート本体として使用することができるとともに、着用者が羽毛コート本体を着用するときの見栄えがさらに良好である。また、着用者が衣料用コート本体を本来の羽毛コートとして着用しないときには、衣料用コート本体をコート収納用バッグ部にさらに簡単に収納することができて見栄えもさらに良好であるとともに、衣料用コートの持ち運びがさらに容易であり、しかも、衣料用コートを各種のクッションとしてさらに良好にかつさらに見栄えよく利用することができる。
【図面の簡単な説明】
【００１４】
【図１】本考案を羽毛コートに適用した第１の実施例における羽毛コートの着用時の正面図である。（実施例１）
【図２】図１に示す羽毛コートの左右両側の前身頃を左右両側に開いた状態における羽毛コートの正面図である。（実施例１）
【図３】図２に示す羽毛コートにおいてコート収納用バッグ部をバッグ収納用ポケット部から取り出した状態における羽毛コートの正面図である。（実施例１）
【図４】図３に示す羽毛コートにおいてコート収納用バッグ部の一対の把手部をほぼ前後方向にずらした状態における羽毛コートの正面図である。（実施例１）
【図５】図４に示す羽毛コートにおいて羽毛コート本体の上半部を後側に折り返した状態における羽毛コートの正面図である。（実施例１）
【図６】図５に示す羽毛コートにおいて羽毛コート本体を小さくまとめた状態における羽毛コートの正面図である。（実施例１）
【図７】図６に示す羽毛コートにおいてコート収納用バッグ部に羽毛コート本体をほぼ完全に収納した状態における羽毛コートの正面図（Ａ）および平面図（Ｂ）である。（実施例１）
【図８】本考案を羽毛コートに適用した第２の実施例における羽毛コートにおいてコート収納用バッグ部に羽毛コート本体をほぼ完全に収納した第１の状態における羽毛コートの正面図（Ａ）および平面図（Ｂ）である。（実施例２）
【図９】図８に示す羽毛コートにおいてコート収納用バッグ部に羽毛コート本体をほぼ完全に収納した第２の状態における羽毛コートの正面図（Ａ）および平面図（Ｂ）である。（実施例２）
【考案を実施するための形態】
【００１５】
つぎに、本考案を適用した第１および第２の実施例における羽毛コートを、「１、第１の実施例」および「２、第２の実施例」に項分けして、図面を参照しつつ説明する。
【００１６】
１、第１の実施例
【００１７】
つぎに、本考案の第１の実施例を、「（１）羽毛コート全体の概略的構成」、「（２）バッグ収納用ポケット部の構成」、「（３）コート収納用バッグ部の構成」および「（４）羽毛コートの取扱い方法」に項分けして、図１〜図７を参照しつつ説明する。
【００１８】
（１）羽毛コート全体の概略的説明
【００１９】
防寒用コートとして用いられることができる羽毛コート（換言すれば、羽毛入りコート）１は、図１〜図５に示すように、着用者が通常の衣料用コート（換言すれば、羽毛入りコート）として着用することができる羽毛コート本体２と、この羽毛コート本体２に連結されているコート収納用バッグ部３とを備えている。そして、羽毛コート本体２は、後身頃４の内側面にバッグ収納用ポケット部５を備えている。また、羽毛コート本体２は、ポケット部５を備えていることを除いて、周知の羽毛コートと実質的に同一の構成であってよい。したがって、羽毛コート本体２は、図１および図２に示すように、後身頃４に加えて、左側の前身頃６ａ、右側の前身頃６ｂ、左側の袖部７ａ、右側の袖部７ｂおよび襟部８をそれぞれ備えていてよい。そして、左右両側の袖部７ａ、７ｂは、長袖であってよい。また、羽毛コート本体２は、襟部８に変えてまたは襟部８に加えて、アノラックの場合と同様の頭巾部を備えていてもよい。
【００２０】
後身頃４と、左右の前身頃６ａ、６ｂとは、図１および図２にそれぞれ示すように、後身頃４の左右両側において、互いに一体的に連結されていてよい。そして、左右両側の袖部７ａ、７ｂは、周知のように、後身頃４および前身頃６ａ、６ｂに一体的に連結されていてよい。また、襟部８または上記頭巾部の下端部は、後身頃４および左右両側の前身頃６ａ、６ｂのそれぞれの上端部に連結されていてよい。さらに、左側の前身頃６ａと右側の前身頃６ｂとは、前身頃の左右方向におけるほぼ中央位置において、ファスナ１１などの開閉具によって閉塞および開放が可能なように結合されていてよい。なお、符号１２ａ、１２ｂは、ファスナ１１の閉塞および開放のために、ほぼ上下方向に摺動される上下一対のスライダである。
【００２１】
図１〜図３にそれぞれ示す後身頃４、左右両側の前身頃６ａ、６ｂ、左右両側の袖部７ａ、７ｂおよび襟部８（および／または上記頭巾部）のうちの一つまたは複数もしくは全部は、羽毛入りであってよい。したがって、これらの羽毛入りの部分には、例えば黒色であってよい表布部１３と例えば黒色であってよい裏布部１４との間において、天然または人工の羽毛の薄層（図示せず）が介装されている。そして、図１〜図５において、符号１５は、上記羽毛の薄層が表布部１３および／または裏布部１４に対して位置ずれするのを防止するために、後身頃４、左右両側の前身頃６ａ、６ｂおよび左右両側の袖部７ａ、７ｂにそれぞれ施されたキルティングの線を示している。なお、バッグ収納用ポケット部５の全部または布部１３、１４とは反対側の面や、コート収納用バッグ部３は、上述のような羽毛入りであってもよいが、特に羽毛入りにする必要がなければ、単なる布地（換言すれば、生地）から構成されていてよい。
【００２２】
図１〜図３にそれぞれ示す左側の前身頃６ａおよび／または右側の前身頃６ｂの外側面には、必要に応じて、着用者の左側および／または右側の手をそれぞれ突っ込み易い周知のような左側および／または右側の外ポケット部（図示せず）を配設することができる。さらに、左側の前身頃６ａおよび／または右側の前身頃６ｂの内側面には、必要に応じて、周知のような左側および／または右側の内ポケット部（図示せず）を配設することもできる。そして、これらの外ポケット部および内ポケット部の１つまたは複数もしくは全部には、羽毛コート１を雨や雪の日に着用してもこれらの外ポケット部や内ポケット部の内部に水滴が入り込まないように、フラップが設けられていてもよい。また、羽毛コート１を構成している総ての布部（換言すれば、表布部１３、裏布部１４、バッグ収納用ポケット部５などの各種のポケット部、コート収納用バッグ部３のバッグ部本体２１および一対の把手部２２ａ、２２ｂなどの各部）は、ナイロン生地、ポリエステル生地などのような比較的柔軟性に富んだ生地から構成することができる。この場合、表布部１３、裏布部１４などの上記各部は、互いに同一の種類の生地から構成されていてもよいが、箇所によって種類が適当に異なる複数の種類の生地から構成されていてもよい。
【００２３】
（２）バッグ収納用ポケット部の構成
【００２４】
羽毛コート本体２は、図２に示すように、この羽毛コート本体２に縫い付けなどによる取り付けなどによって配設されたバッグ収納用のポケット部５を備えている。なお、このポケット部５は、羽毛コート本体２の表布部１３に設けられていてもよいが、図示の実施例においては、裏布部１４（換言すれば、羽毛コート本体２の内側面）に設けられている。そして、図示の実施例においては、ポケット部５は、後身頃４のうちの着用者の腹部の上半分にほぼ対応する高さ位置（換言すれば、着用者の背中の下半部にほぼ対応する位置）において、後身頃４の左右方向におけるほぼ中央部分に配設されている。また、ポケット部５は、例えば黒色であってよく、そして、多少横長のほぼ長方形状であってよいが、ほぼ半円形状、ほぼ半楕円形状、ほぼ半長円形状、ほぼハート形状、ほぼ台形状などの別の形状であってもよい。
【００２５】
図２などに示す図示の実施例においては、ポケット部５の内部が空っぽでかつポケット部５がほぼ平坦な状態（以下、「上記空っぽの平坦状態」という。）でのポケット部５の内部の幅Ｗ１は、約２４ｃｍであり、上記空っぽの平坦状態でのポケット部５の高さＨ１は、約１６ｃｍであり、上記空っぽの平坦状態でのポケット部５の内部の平面的に見た面積（Ｗ１×Ｈ１）は、約３８０ｃｍ２である。そして、ポケット部５の内部の幅Ｗ１は、実用性の観点から言って一般的に、１６ｃｍ〜３２ｃｍの範囲のあるのが好ましく、１９ｃｍ〜２８ｃｍの範囲であるのがさらに好ましい。また、ポケット部５の内部の高さＨ１は、実用性の観点から言って一般的に、１１ｃｍ〜２１ｃｍの範囲であるのが好ましく、１３ｃｍ〜１９ｃｍの範囲であるのがさらに好ましい。そして、上記空っぽの平坦状態でのポケット部５の内部の平面的に見た面積（Ｗ１×Ｈ１）は、実用的な観点から言って一般的に、２５０ｃｍ２〜５００ｃｍ２の範囲であるのが好ましく、３００ｃｍ２〜４５０ｃｍ２の範囲であるのがさらに好ましい。
【００２６】
図２に示すバッグ収納用ポケット部５は、コート収納用バッグ部３が羽毛コート本体２を収納していない状態において、コート収納用バッグ部３を収納するのに用いられる。このために、バッグ出し入れ用の開口部１６が、バッグ収納用ポケット部５の長手状の上端縁１７にほぼ沿って、このポケット部５の幅方向におけるほぼ全長にわたって延在している。そして、開口部１６は、ファスナ１８などの開閉具によって閉塞および開放が可能なように構成されているのが好ましい。このように構成すれば、羽毛コート１を雨や雪の日に着用しても、羽毛コート本体２の内側面に設けられていることと相まって、ポケット部５の内部に水滴が入り込むおそれは、ほとんどない。なお、符号１９は、ファスナ１８の閉塞および開放のために、ほぼ左右方向に摺動されるスライダである。そして、開口部１６は、ポケット部５の上端縁１７にほぼ沿って延在している必要は必ずしもなく、ポケット部５の中間部や下端縁にほぼ沿ってほぼ横方向、ほぼ斜め方向、ほぼ縦方向などに延在していてもよい。また、開口部１６は、ポケット部５の幅方向におけるほぼ全長にわたって延在する必要は必ずしもなく、上記ほぼ全長よりも或る程度短くてもよい。
【００２７】
（３）コート収納用バッグ部の構成
【００２８】
羽毛コート本体２には、図３〜図６に示すように、コート収納用のバッグ部３が縫い付けなどによる取り付けなどによって連結されている。そして、このバッグ部３は、ほぼ円形状のバッグ部本体２１と、このバッグ部本体２１にそれらの両端縁を縫い付けなどによる取り付けなどによって互いに対向するように連結された一対の把手部２２ａ、２２ｂとを、備えている。なお、バッグ部本体２１は、バッグ収納用のポケット部５の外側において羽毛コート本体２の内側面、外側面などに連結されていてもよいが、図示の実施例においては、ポケット部５の内部において羽毛コート本体２の内側面に直接またはポケット布を介して間接的に連結されている。具体的には、バッグ部本体２１の下端縁である長手状の被取り付け部２３が、ポケット部５の長手状上端縁１７の付近の内側面（換言すれば、裏布部１４の側）において、縫い付けなどによってポケット部５にほぼ左右方向に長手状に連結されている。この場合、ほぼ円形状であってよいバッグ部本体２１の例えば銀色であってよい外側面と例えば黒色であってよい内側面とが互いに逆になるように引っ繰り返された状態でもって、バッグ部本体２１がポケット部５に連結されていてよい。
【００２９】
図３〜図７に示すバッグ部本体２１は、ほぼ円形状である必要は必ずしもなく、ほぼ楕円形状、ほぼ長円形状、ほぼ正方形状、ほぼ長方形状、ほぼハート形状、ほぼ台形状などの別の形状であってもよい。そして、コート出し入れ用の開口部２５が、バッグ部本体２１の上端縁にほぼ沿って、バッグ部本体２１の平面的に見たほぼ全長にわたって延在している。また、開口部２５は、ファスナ２４などの開閉具によって閉塞および開放が可能なように構成されている。このように構成すれば、雨や雪の日であっても、バッグ部本体２１の内部に水滴が入り込むおそれは、ほとんどない。しかし、開口部２５は、バッグ部本体２１の上端縁にほぼ沿って延在している必要は必ずしもなく、バッグ部本体２１の中間部や下端縁にほぼ沿って、平面的に見た横方向、ほぼ斜め方向、ほぼ縦方向などに延在していてもよい。また、開口部２５は、バッグ本体２１の平面的に見たほぼ全長にわたって延在している必要は必ずしもなく、上記ほぼ全長よりも或る程度短くてもよく、場合によっては、図７に示す状態よりも長くてもよい。なお、図７において、符号２６は、ファスナ２４のスライダである。
【００３０】
図示の実施例においては、図３〜図７に示すバッグ部本体２１の内部が空っぽでかつバッグ部本体２１がほぼ平坦な状態（以下、「上記空っぽの平坦状態」という。）でのほぼ円形状のバッグ部本体２１の内部の直径Ｄ（換言すれば、バッグ部本体２１の内部の幅Ｗ２および高さＨ２のそれぞれ）は、約４０ｃｍである。また、上記空っぽの平坦状態でのバッグ部本体２１の内部の平面的に見た面積（０．２５πＤ２）は、約１，２６０ｃｍ２である。そして、バッグ部本体２１の内部の幅Ｗ２および高さＨ２のそれぞれは、実用性の観点から言って一般的に、２６ｃｍ〜５２ｃｍの範囲であるのが好ましく、３２ｃｍ〜４８ｃｍの範囲であるのがさらに好ましい。また、上記空っぽの平坦状態でのバッグ部本体２１の内部の平面的に見た面積（０．２５πＤ２）は、実用性の観点から言って一般的に、８４０ｃｍ２〜１，６８０ｃｍ２の範囲であるのが好ましく、１，０００ｃｍ２〜１，５００ｃｍ２の範囲であるのがさらに好ましい。
【００３１】
図７などに示す一対の把手部２２ａ、２２ｂは、図示の実施例においてはループ形状であるが、必ずしもループ形状である必要はなく、把手部として機能する限り、非ループ形状であってもよい。そして、図示の実施例においては、一対の把手部２２ａ、２２ｂのそれぞれは、柔軟なテープ形状に構成されている。また、一対の把手部２２ａ、２２ｂのそれぞれの両端部は、図７に示すように、開口部２５の近傍の表側の面の左右両側部に縫い付けなどによる取り付けなどによって連結されている。さらに、一対の把手部２２ａ、２２ｂの両面（換言すれば、一対の把手部２２ａ、２２ｂの全体）は、図７に示すバッグ本体２１の外側面とほぼ同色である例えば銀色であってよい。
【００３２】
（４）羽毛コートの取扱い方法
【００３３】
羽毛コート１が図１および図２に示す状態にあるときには、着用者はこの羽毛コート１を通常の羽毛コートとして着用することができる。この場合、コート収納用バッグ部３は、外側面と内側面とが互いに逆になっている裏返しの状態（換言すれば、外側面が例えば黒色の状態）でかつ重ねられたり丸められたりして小さくまとめられた状態の一塊にして、バッグ収納用ポケット部５内にほぼ完全に収納されているのが好ましい。そして、バッグ収納用ポケット部５のバッグ出し入れ用開口１６は、スライダ１９を復動操作することなどによって閉塞されているのが好ましい。なお、バッグ収納用ポケット部５には、コート収納用バッグ部３だけでなく、使い捨てかいろなどの着用者加温用のかいろなどの別の物品を、コート収納用バッグ部３とともにあるいはコート収納用バッグ部３とは別に、収納することができる。
【００３４】
図１および図２に示す状態における羽毛コート本体２が図７に示すようにコート収納用バッグ部３に収納されるときには、着用者などは、以下に記載の操作を行えばよい。すなわち、スライダ１９を往動操作することによって、図３および図４に示すように、ポケット部５の内部からコート収納用バッグ部３を外部に取り出す。そして、バッグ部３の開口部２５が閉塞状態になっていれば、スライダ２６を往動操作して開口部２５を開放状態にする。ついで、図５および図６に示すように、羽毛コート本体２を折り畳んだり重ね合せたり丸めたりして小さくまとめられた状態のほぼ一塊にする。そして、このほぼ一塊になった羽毛コート本体２にバッグ部本体２１を被せつつ、バッグ部本体２１の外側面と内側面とが互いに逆になるように表裏を逆にする。この結果、図７に示すように、バッグ部本体２１内に羽毛コート本体２がほぼ完全に収納されるとともに、バッグ部本体２１の表裏が入れ代って本来の外側面（例えば銀色の面）が実際の外側面になる。このために、バッグ部本体２１への羽毛コート本体２の収納操作を比較的簡単でかつスムーズに行うことができる。
【００３５】
したがって、スライダ２６を復動操作してファスナ２４を閉塞状態にすれば、図７に示すように、バッグ部本体２１の外側面および一対の把手部２２ａ、２２ｂのそれぞれが例えば銀色であるコート収納済みのバッグ部３が得られる。そして、図７に示すコート収納済みのバッグ部３は、一対の把手部２２ａ、２２ｂを手で握った状態で持ち運びされることができるから、持ち運びに便利であるとともに、持ち運ぶのに体裁が良い。また、コート収納済みのバッグ部３には、羽毛入りのコート本体２がほぼ完全に収納されているから、このバッグ部３は柔軟性やクッション性に富んでいる。したがって、このバッグ部３は、飛行機や列車などの座席などにおいて、クッションとして好適に使用されることができる。なお、図７に示す羽毛コート１を図１および図２に示す状態に戻すときには、図１および図２に示す羽毛コート１を図７に示す状態にしたときとは実質的に逆の操作を行えばよいから、この戻し操作も比較的簡単かつスムーズに行うことができる。
【００３６】
２、第２の実施例
【００３７】
つぎに、本考案の第２の実施例を、図８および図９を参照しつつ説明すると、本考案の第２の実施例による羽毛コート１は、コート収納用バッグ部３の構成が前記第１の実施例の場合とは相違していることを除いて、前記第１の実施例による羽毛コート１と実質的に同一の構成であってよい。したがって、図８および図９に示す第２の実施例においては、図１〜図７に示す第１の実施例と共通の部分に同一の符号を付してその説明を省略する。
【００３８】
図８および図９に示す羽毛コート１においては、一対の把手部２２ａ、２２ｂのそれぞれの両側の端縁は、コート収納用バッグ部３が図８および図９に示すコート収納後のバッグ部３になっている状態においては、バッグ部本体２１の内側面にそれぞれ連結されている。そして、この連結の仕方自体は、前記第１の実施例の場合と実質的に同一であってよい。ただし、図８および図９に示す第２の実施例の場合には、図８（Ｂ）および図９（Ｂ）に示すようにファスナ２４を平面的に見たときのこのファスナ２４の長さが、図７に示す第１の実施例の場合に較べて、約０．６倍の長さになっている。このために、図８および図９に示す第２の実施例においては、図８に示すように把手部２２ａ、２２ｂをバッグ部本体２１から外側に出した第１の状態と、図９に示すように把手部２２ａ、２２ｂをバッグ部本体２１の内部にほぼ完全に収納した第２の状態とを、比較的簡単な操作でもって、確実に得ることができる。したがって、羽毛コート１を上記第２の状態で前記クッションとして使用したときに、このクッション１の見栄えや使い勝手がさらに良い。
【００３９】
以上、本考案を第１および第２の実施例について詳細に説明したが、本考案は、これら第１および第２の実施例に限定されるものではなく、実用新案登録請求の範囲に記載された考案の趣旨に基づいて各種の変更および修正が可能である。
【００４０】
例えば、上記第１および第２の実施例においては、本考案を羽毛コート１に適用したが、本考案は、綿入りコート、毛皮コートなどの防寒用コート、その他の各種の衣料用コートに適用することができる。
【００４１】
また、上記第１および第２の実施例においては、バッグ収納用ポケット部５のバッグ出し入れ用開口部１６やコート収納用バッグ部３のコート出し入れ用開口部２５が、ファスナ１８やファスナ２４でもって開閉されるように構成した。しかし、これらの開口部１６、２５いずれか一方または両方は、面ファスナ、ホックなどのボタン、その他の開閉具によって開閉されるように構成されることができ、場合によっては上記開閉具が省略されていてもよい。
【００４２】
さらに、上記第１および第２の実施例においては、羽毛コート１を構成している生地のうちのコート収納用バッグ部３のバッグ部本体２１のコート収納済みの状態における外側面と、一対の把手部２２ａ、２２ｂのほぼ全面とを、例えば銀色とするとともに、残りの生地を、例えば黒色にした。しかし、上記銀色や上記黒色の部分のそれぞれは、金色、灰色、薄茶色、濃紺色などの各種の色であってもよく、場合によっては、これらの部分が互いに同色であってもよい。
【符号の説明】
【００４３】
１      羽毛コート（衣料用コート）
２      羽毛コート本体
３      コート収納用バッグ部
４      後身頃
５      バッグ収納用ポケット部
１６    バッグ出し入れ用開口部
２１    バッグ部本体
２２ａ  把手部
２２ｂ  把手部
２５    コート出し入れ用開口部
Ｗ１    ポケット部５の内部の幅
Ｈ１    ポケット部５の内部の高さ
Ｗ２    バッグ部本体２１の内部の幅
Ｈ２    バッグ部本体２１の内部の高さ
【図１】
0003189343.tif 000003
【図２】
0003189343.tif 000004
【図３】
0003189343.tif 000005
【図４】
0003189343.tif 000006
【図５】
0003189343.tif 000007
【図６】
0003189343.tif 000008
【図７】
0003189343.tif 000009
【図８】
0003189343.tif 000010
【図９】
0003189343.tif 000011